(57)【要約】【課題】  上下の障子が左右逆に開く窓の操作性向上。【解決手段】  窓枠１と、上下の障子２，３と、窓枠１に沿ってスライドするスライド部４と、スライド部４を動かす操作部１３とを備え、上下の障子２，３は、左右逆に開くものであり、スライド部４は、縦枠５に沿ってスライドする縦スライド部７ａ，７ｂと、横枠６に沿ってスライドする横スライド部８ａ，８ｂとを連結して構成してあり、縦スライド部７ａ，７ｂには、障子２，３をロックするロック部材１０を有し、横スライド部８ａ，８ｂには、障子２，３の開閉アーム１１と係合する係合部１２を有し、一つの操作部１３の操作で上下の障子２，３の開閉とロックの係脱が行えることを特徴とする。【選択図】      図１
2014214592.tif 000002
【特許請求の範囲】
【請求項１】
窓枠と、上下の障子と、窓枠に沿ってスライドするスライド部と、スライド部を動かす操作部とを備え、上下の障子は、左右逆に開くものであり、スライド部は、縦枠に沿ってスライドする縦スライド部と、横枠に沿ってスライドする横スライド部とを連結して構成してあり、縦スライド部には、障子をロックするロック部材を有し、横スライド部には、障子の開閉アームと係合する係合部を有し、一つの操作部の操作で上下の障子の開閉とロックの係脱が行えることを特徴とする窓。
【発明の詳細な説明】
【技術分野】
【０００１】
本発明は、上下の障子が左右逆に開く窓に関する。
【背景技術】
【０００２】
特許文献１には、窓開口部を上下に隣接して形成し、各窓開口部に取付けた障子を左右逆に開くようにした窓が記載されている。このようにすると、一方の窓開口部より室外から室内に風が入り、他方の窓開口部より室内から室外に風が出ていくので、四方の壁のうちの一箇所にしか窓を設置できない場合でも、効率のよい換気が行える利点がある。
しかしこの種の従来の窓は、上下の障子にロック機構がそれぞれ設けられ、また上下の障子を別々のハンドルを操作して開閉するようになっているため、窓を開閉するのに４回の操作が必要で、開閉操作が煩わしいものであった。また、この窓は上下どちらか一方の障子のみを開けることも可能であるが、そうするとこの窓本来の換気効率が得られない。
【先行技術文献】
【特許文献】
【０００３】
【特許文献１】特開２００７−１７０１３８号公報
【発明の概要】
【発明が解決しようとする課題】
【０００４】
本発明は以上に述べた実情に鑑み、上下の障子が左右逆に開く窓の操作性向上を目的とする。
【課題を解決するための手段】
【０００５】
上記の課題を達成するために請求項１記載の発明による窓は、窓枠と、上下の障子と、窓枠に沿ってスライドするスライド部と、スライド部を動かす操作部とを備え、上下の障子は、左右逆に開くものであり、スライド部は、縦枠に沿ってスライドする縦スライド部と、横枠に沿ってスライドする横スライド部とを連結して構成してあり、縦スライド部には、障子をロックするロック部材を有し、横スライド部には、障子の開閉アームと係合する係合部を有し、一つの操作部の操作で上下の障子の開閉とロックの係脱が行えることを特徴とする。
【発明の効果】
【０００６】
請求項１記載の発明による窓は、一つの操作部を操作するだけで、左右逆に開く障子の開閉とロックの係脱が行えるので、操作性が良い。また、上下の障子が必ず一緒に開くので、窓を開けたときに常に換気効率の良い状態にできる。
【図面の簡単な説明】
【０００７】
【図１】本発明の窓の一実施形態を示す室内側正面図である。
【図２】図１のＡ−Ａ断面図である。
【図３】図１のＢ−Ｂ断面図である。
【図４】図１のＣ−Ｃ断面図である。
【図５】図１のＤ−Ｄ断面図である。
【図６】障子を開閉・ロックする機構を抜き出して示す室内側正面図である。
【図７】図１のＣ−Ｃ位置における横断面図であって、障子を開けたときの状態を示す。
【図８】障子を開けた状態を示す斜視図である。
【図９】障子を開閉・ロックする機構を抜き出して示す斜視図である。
【図１０】本発明の窓の他の実施形態を模式的に示す正面図である。
【図１１】本発明の窓のさらに別の実施形態を模式的に示す正面図である。
【発明を実施するための形態】
【０００８】
以下、本発明の実施の形態を図面に基づいて説明する。図１〜図９は、本発明に係る窓の一実施形態を示している。この窓は縦方向に長い段窓で、図１に示すように、上枠１４と、下枠１５と、左右の縦枠５，５と、左右の縦枠５，５の中間に架設した無目６とにより窓枠１が構成され、窓枠１の上下の開口部に上障子２と下障子３をそれぞれ蝶番１６で室外側に開くように取付けてある。上障子２と下障子３は、左右逆に開くように取付けてある。窓枠１には、窓枠１に沿ってスライドするスライド部４が設けてある。
【０００９】
室内側から見て左側の縦枠５の内周側面の無目６より上側には、図１，３に示すように、上縦スライド部７ａが縦枠５の長手方向にスライド可能に設けてあり、上縦スライド部７ａには上障子２の戸先部に設けられたロック受け１７と係合して上障子２を閉鎖状態にロックするロック部材１０が取付けてある。
無目６の上面には、図１，２に示すように、上横スライド部８ａが無目６の長手方向にスライド可能に設けてあり、上横スライド部８ａには上障子２を開閉する開閉アーム１１と係合する係合部１２が設けてある。開閉アーム１１は、図４に示すように、平面視略平行四辺形状に形成されており、左側の端部を無目６に取付具１８で軸支してあり、右側の端部を連結具１９で上障子２に連結してあり、中間部に前記係合部１２と係合する係合溝２０が形成してある。係合溝２０は、右側の端部に無目６の長手方向と平行なストレート部２０ａを有し、ストレート部２０ａから室内側の左方向に傾斜して傾斜部２０ｂが形成してあり、上障子２を閉鎖した状態で係合部１２はストレート部２０ａの先端部に位置している。
【００１０】
無目６の上部室内側面には、図１，２，４に示すように、操作部１３が設けてある。操作部１３は、従前のオペレーターハンドルを利用したものであり、ハンドル軸に取付けられたウォームギア（図示省略）がハスバ歯車２１と噛み合っており、ハスバ歯車２１から室外側にのびるアーム２２が連結アーム２３を介して上横スライド部８ａの係合部１２に連結してあり、ハンドル２４を回すと係合部１２及び上横スライド部８ａが無目６の長手方向に沿ってスライドするようになっている。
【００１１】
上縦スライド部７ａと上横スライド部８ａとは、図１，２に示すように、縦枠５と無目６とのコーナー部に配置されたコーナー連結具９で連結し、連動するようにしてある。コーナー連結具９は、図６に示すように、Ｌ形に曲がった筒状のガイド部材９ａと、ガイド部材９ａ内に挿通した摺動部材９ｂとを有するもので、摺動部材９ｂがガイド部材９ａにガイドされた状態で摺動することで、押す力と引き力を直角に伝達できるものである。コーナー連結具９は、図２，９に示すように、上横スライド部８ａの室内側に隣接し、上横スライド部８ａと見込み方向に重なるように配置されている。
【００１２】
室内側から見て右側の縦枠５の内周側面の無目６より下側には、図１に示すように、下縦スライド部７ｂが縦枠５の長手方向にスライド可能に設けてあり、下縦スライド部７ｂには下障子３の戸先部に設けられたロック受け１７と係合して下障子３を閉鎖状態にロックするロック部材１０が取付けてある。
無目６の下面には、図１，２に示すように、下横スライド部８ｂが無目６の長手方向にスライド可能に設けてあり、下横スライド部８ｂには下障子３を開閉する開閉アーム１１と係合する係合部１２が設けてある。開閉アーム１１は、図５に示すように、上障子２用の開閉アーム１１とは左右逆になっている。
下縦スライド部７ｂと下横スライド部８ｂとは、縦枠５と無目６とのコーナー部に配置されたコーナー連結具９で連結し、連動するようにしてある。コーナー連結具９は、図２，９に示すように、下横スライド部８ｂの室内側に隣接し、下横スライド部８ｂと見込み方向に重なるように配置されている。
【００１３】
上横スライド部８ａと下横スライド部８ｂの間の無目６内には、図１，２，９に示すように、ギア２５が配置してあり、上横スライド部８ａと下横スライド部８ｂにはギア２５の歯と噛み合うラックギア部２６がそれぞれ設けてある。したがって、操作部１３を操作することで上横スライド部８ａがスライドすると、下横スライド部８ｂはこれに連動して上横スライド部８ａと逆方向にスライドする。さらに、上横スライド部８ａは上縦スライド部７ａと、下横スライド部８ｂは下縦スライド部７ｂと、それぞれコーナー連結具９により連結されているため、上縦スライド部７ａと下縦スライド部７ｂも横スライド部８ａ，８ｂと連動してスライドする。
上横スライド部８ａと下横スライド部８ｂは、図２に示すように、無目６とは別の形材で形成したレール材３１ａ，３１ｂに案内してあり、レール材３１ａ，３１ｂはギア２５の上部及び下部が臨む切欠きが形成してあって、レール材３１ａ，３１ｂの窪みの中央部を無目６にビス止めしてある。ギア２５は、無目６に上方又は下方より（図示のものは上方より）挿入され、横スライド部８ａ，８ｂを予め保持させたレール材３１ａ，３１ｂを無目６の上下面に取付けることで、レール材３１ａ，３１ｂと横スライド部８ａ，８ｂとでギア２５が隠れるようにしている。ギア２５は、保持部材３２に回転自在に保持し、無目６の上側から着脱自在に取付けてあって、交換可能である。
【００１４】
操作部１３を障子開き側に操作すると、図６に示すように、上横スライド部８ａが左方向にスライドし、下横スライド部８ｂはギア２５を介して上横スライド部８ａの動きが伝達されて右方向にスライドする。また、上縦スライド部７ａはコーナー連結具９により上横スライド部８ａの動きが伝達されて上方にスライドし、下縦スライド部７ｂはコーナー連結具９により下横スライド部８ｂの動きが伝達されて下方にスライドする。スライドし始めの段階では、図４，５に示すように、上下横スライド部８ａ，８ｂに設けた係合部１２が開閉アーム１１の係合溝２０のストレート部２０ａの範囲に位置するため、障子２，３は閉じたままになっており、この間に上下縦スライド部７ａ，７ｂがスライドしてロック部材１０が障子のロック受け１７から外れ、障子２，３のロックが解除される。その後、図７に示すように、係合部１２が開閉アーム１１の係合溝２０の傾斜部２０ｂに移行することで、開閉アーム１１が取付具１８を支点に室外側に回動し、それにつれて上下の障子２，３が開く。こうして上下の障子２，３が左右逆に開くと、図８に示すように、一方の障子３が横風２７をキャッチして室内に風が流れ込み、他方の障子２側の開口部より室内から室外に風２８が出ていくので、四方の壁のうちの一箇所にしか窓を設置できない場合でも、効率のよい換気が行える。
操作部１３を障子閉じ側に操作すると、各スライド部７ａ，７ｂ，８ａ，８ｂがそれぞれ上記とは逆方向にスライドし、これに伴って開閉アーム１１により障子２，３が閉鎖され、閉鎖後にロック部材１０がロック受け１７に係合して障子２，３がロックされる。
【００１５】
以上に述べたように本窓は、一つの操作部１３を操作するだけで、左右逆に開く障子２，３の開閉とロックの係脱が行えるので、操作性が良い。特に、強風が吹き付けたり、急に雨が降ったりして、上下の障子２，３を急いで閉めたい場合でも、一つの操作で短時間で閉めることができ、都合がよい。また、上下の障子２，３が必ず一緒に開くので、窓を開けたときに常に換気効率の良い状態にできる。本窓は、無目６に内蔵したギア２５を介して上横スライド部８ａと下横スライド部８ｂを逆向きにスライドさせることで、一つの操作部１３の操作で左右逆に開く障子２，３の開閉が行え、ギア２５は外部に露出しないので意匠性も良い。さらに、無目６に両横スライド部８ａ，８ｂを設けることで、コーナー連結具９の数を少なくすることができるので、操作が重くならず操作性が良い。また、スライド部４（縦スライド部７ａ，７ｂ及び横スライド部８ａ，８ｂ）の長さも短くすることができるので、コストがかからない。操作部１３が無目６に設けてあることで、操作性が良い。コーナー連結具９を横スライド部８ａ，８ｂと見込み方向に重なるように配置したことで、重ねた寸法分、窓の寸法も小さくできるので、開口部の幅の狭い縦長のスリット型の窓にも対応することができ（具体的には、有効開口幅１１０ｍｍの極小Ｗ寸法まで対応可能）、防犯性に配慮しつつ換気効率の良い窓を実現できる。
【００１６】
図１０は、本発明の窓の他の実施形態を示しており、スライド部４を動かすための操作部１３を下障子３の戸先側に位置する縦枠５下部に設けている点が先の実施形態とは異なる。腰壁等に取付ける場合は、このように操作部１３を縦枠５の下部側に設けることで、操作性がよい。
【００１７】
図１１は、本発明の窓のさらに別の実施形態を示しており、これまでに説明した実施形態とはスライド部４の構成が異なる。この窓は、上枠１４と下枠１５とに横スライド部２９ａ，２９ｂが設けてあり、下障子３の戸先側に位置する縦枠５の下半分と上障子２の戸先側に位置する縦枠５の全長とに縦スライド部３０ａ，３０ｂが設けてあり、窓枠１のコーナー部に配置されたコーナー連結具９で横スライド部２９ａ，２９ｂと縦スライド部３０ａ，３０ｂを１本に繋げている。横スライド部２９ａ，２９ｂには、上下の障子２，３の開閉アーム１１と係合する係合部１２を有し、縦スライド部３０ａ，３０ｂには上下の障子２，３のロック受け１７に係合するロック部材１０を有している。操作部１３は、下障子３の戸先側に位置する縦枠５下部に設けている。
本実施形態の窓は、ギア等を介在させることなく上下の横スライド部２９ａ，２９ｂと左右の縦スライド部３０ａ，３０ｂがそれぞれ逆方向にスライドし、一つの操作部１３を操作するだけで、左右逆に開く障子２，３の開閉とロックの係脱が行える。本実施形態によれば、上障子２と下障子３の間に嵌め殺し障子を有する窓にも対応できる。操作部１３は、スライド部４が設けてある窓枠１の任意の位置に設けることができ、例えば下枠１５に設けることもできる。
【００１８】
本発明は以上に述べた実施形態に限定されない。障子２，３の窓枠１への取付け方は適宜変更することができ、部品蝶番で取付けたものに限らず、ピボットヒンジで取付けたり、形材の通し蝶番で取付けることもできる。また障子２，３は、室外側にすべり出して開くもの（たてすべり出し窓）であってもよい。障子２，３の構成は任意であり、パネル障子、ガラス障子のいずれであってもよい。スライド部４や操作部１３の構成は、適宜変更することができ、例えば操作部１３はギア２５を回転させてスライド部４をスライドさせるものであってもよい。また、上下横スライド部８ａ，８ｂを相反する方向にスライドさせる機構は、ギア２５を用いたものに限らず、例えば上下横スライド部８ａ，８ｂ間で軸支したアームを上下横スライド部８ａ，８ｂと係合させ、該アームを介して上下横スライド部８ａ，８ｂを相反する方向にスライドさせるものであってもよい。幅の狭い窓に対応するために、コーナー連結具９を横スライド部８ａ，８ｂの上下方向に重ねて配置することもできる。
【符号の説明】
【００１９】
１  窓枠
２  上障子
３  下障子
４  スライド部
５  縦枠
６  無目（横枠）
７ａ  上縦スライド部（縦スライド部）
７ｂ  下縦スライド部（縦スライド部）
８ａ  上横スライド部（横スライド部）
８ｂ  下横スライド部（横スライド部）
９  コーナー連結具
１０  ロック部材
１１  開閉アーム
１２  係合部
１３  操作部
２９ａ，２９ｂ  横スライド部
３０ａ，３０ｂ  縦スライド部
【図１】
2014214592.tif 000003
【図２】
2014214592.tif 000004
【図３】
2014214592.tif 000005
【図４】
2014214592.tif 000006
【図５】
2014214592.tif 000007
【図６】
2014214592.tif 000008
【図７】
2014214592.tif 000009
【図８】
2014214592.tif 000010
【図９】
2014214592.tif 000011
【図１０】
2014214592.tif 000012
【図１１】
2014214592.tif 000013